(57)【要約】【課題】  電力事業者に対する需要家の関心を高める。【解決手段】  需要家Ｍが通信端末３を介してアクセス可能な電力事業者のウェブサーバ５と、各需要家Ｍの電力使用量を記憶する電力使用量サーバ２とが通信自在に接続され、ウェブサーバ５に、電力使用量に基づいて需要家Ｍにポイントを付与する使用量ポイントタスク５３２と、所定のスポーツチームにポイントを寄付するサポートメニューに加入している需要家Ｍであるサポート需要家Ｍに、該スポーツチームの成績情報に応じたポイントを付与する成績ポイントタスク５３３と、すべてのサポート需要家Ｍのポイントを寄付ポイントとして合算する算出タスク５３５と、を備える。【選択図】  図１
2018106451.tif 000002
【特許請求の範囲】
【請求項１】
電力の需要家が通信端末を介してアクセス可能な電力事業者のウェブサーバと、各需要家の電力使用量を記憶する電力使用量サーバとが通信自在に接続され、
前記ウェブサーバに、
電力使用量に基づいて前記需要家にポイントを付与する使用量ポイント手段と、
所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、
すべての前記サポート需要家のポイントを寄付ポイントとして合算する算出手段と、
を備えることを特徴とする電力需要家向けポイントシステム。
【請求項２】
前記算出手段は、前記サポート需要家の所定期間における全ポイントを寄付ポイントとして合算する、
ことを特徴とする請求項１に記載の電力需要家向けポイントシステム。
【請求項３】
前記算出手段は、前記サポート需要家が前記サポートメニューに加入する前に貯めたポイントを含めて寄付ポイントとして合算する、
ことを特徴とする請求項１または２のいずれか１項に記載の電力需要家向けポイントシステム。
【請求項４】
前記ウェブサーバに、前記サポート対象に関連するプレゼントが贈られる需要家を、複数の前記サポート需要家のなかから抽選する抽選手段を備える、
ことを特徴とする請求項１から３のいずれか１項に記載の電力需要家向けポイントシステム。
【請求項５】
前記ウェブサーバは、前記電力事業者以外の事業者から前記需要家に付与されたポイントである外部ポイントを受け入れて、該需要家のポイントに加算する外部ポイント加算手段を備える、
ことを特徴とする請求項１から４のいずれか１項に記載の電力需要家向けポイントシステム。
【請求項６】
前記寄付の用途を前記通信端末からの入力によって指定自在で、
前記算出手段は、前記用途ごとに寄付ポイントを合算する、
ことを特徴とする請求項１から５のいずれか１項に記載の電力需要家向けポイントシステム。
【発明の詳細な説明】
【技術分野】
【０００１】
この発明は、電力の需要家に対してポイントを付与する電力需要家向けポイントシステムに関する。
【背景技術】
【０００２】
電力事業者（電力供給側）の発電設備を含む電力設備は、全体の使用電力が一時的に上昇する場合であっても、電力の供給が停止しないように、上昇時の電力に応じた電力を供給可能な容量にしなければならず、過剰な電力設備となるおそれがある。一方、需要家が電力使用量を抑えてくれれば発電量を低くすることができ、その結果、電力設備の過剰化を抑制することができる。換言すれば、需要家が自身の電力使用量に関心を持って省エネルギーを心掛けてくれれば、電力設備の過剰化を抑制することができ、発電コストなどを低減することが可能となる。
【０００３】
また、需要家に電力使用量への関心を促すために、定額電力料金で契約している需要家に対して、契約時に需要家から受け付けた電力使用予定量と実際の電力使用量とを比較し、実際の電力使用量が電力使用予定量よりも低かった場合に、需要家に対して様々な商品やサービスとの交換が可能なポイントを付与するシステムが知られている（例えば、特許文献１参照。）。
【先行技術文献】
【特許文献】
【０００４】
【特許文献１】特開２００３−１５３４４１号公報
【発明の概要】
【発明が解決しようとする課題】
【０００５】
ところで、いわゆる電力自由化が進む近年においては、各電力事業者は、電力料金の適正化（低料金化）をより図るとともに、サービスの向上や多様化などを図ることが期待されている。一方、各需要家は、自己の電力使用態様や各電力事業者から提供される料金メニュー、サービスなどに基づいて、自己に最適な電力事業者を選定するとともに、使用電力の適正化（省エネ・節電）を図ることが期待される。
【０００６】
このように、需要家がこれまで以上に電力使用や電力事業者に関心を持ち、電力需給に関わっていく（参加していく）ことが期待される。さらに、電力事業者にとっては、需要家により関心を寄せてもらい、永く安定した需給関係を築くことが望ましい。
【０００７】
しかしながら、例えば、特許文献１に記載のシステムでは、需要家がポイントを取得できる手段が省エネルギーしかなく、省エネルギーには需要家の我慢を伴う。また、電気機器の高性能化・省エネ化などが進んだ現代社会では、省エネルギーにも限界があるため、取得できるポイントが少なくなってしまう。さらには、取得したポイントを商品やサービスと交換できるだけであるため、需要家の要求を満たせない場合がある。このような理由から、従来のポイントサービスでは、需要家が早期に関心を失ってしまうおそれがあり、需要家が電力事業者に関心を寄せて永く安定した需給関係を築く、ということが期待できない。
【０００８】
そこでこの発明は、電力事業者に対する需要家の関心を高めることが可能な電力需要家向けポイントシステムを提供することを目的とする。
【課題を解決するための手段】
【０００９】
上記課題を解決するために、請求項１の発明は、電力の需要家が通信端末を介してアクセス可能な電力事業者のウェブサーバと、各需要家の電力使用量を記憶する電力使用量サーバとが通信自在に接続され、前記ウェブサーバに、電力使用量に基づいて前記需要家にポイントを付与する使用量ポイント手段と、所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、すべての前記サポート需要家のポイントを寄付ポイントとして合算する算出手段と、を備えることを特徴とする電力需要家向けポイントシステムである。
【００１０】
この発明によれば、サポートメニューに加入しているサポート需要家に対しては、電力使用量に基づくポイントが付与されるとともに、所定のスポーツチームまたはスポーツ選手の成績に応じたポイントが付与される。そして、全サポート需要家のポイントが、所定のスポーツチームまたはスポーツ選手に寄付するための寄付ポイントとして合算される。
【００１１】
請求項２の発明は、請求項１に記載の電力需要家向けポイントシステムにおいて、前記算出手段は、前記サポート需要家の所定期間における全ポイントを寄付ポイントとして合算する、ことを特徴とする。
【００１２】
請求項３の発明は、請求項１または２に記載の電力需要家向けポイントシステムにおいて、前記算出手段は、前記サポート需要家が前記サポートメニューに加入する前に貯めたポイントを含めて寄付ポイントとして合算する、ことを特徴とする。
【００１３】
請求項４の発明は、請求項１から３に記載の電力需要家向けポイントシステムにおいて、前記ウェブサーバに、前記サポート対象に関連するプレゼントが贈られる需要家を、複数の前記サポート需要家のなかから抽選する抽選手段を備える、ことを特徴とする。
【００１４】
請求項５の発明は、請求項１から４に記載の電力需要家向けポイントシステムにおいて、前記ウェブサーバは、前記電力事業者以外の事業者から前記需要家に付与されたポイントである外部ポイントを受け入れて、該需要家のポイントに加算する外部ポイント加算手段を備える、ことを特徴とする。
【００１５】
請求項６の発明は、請求項１から５に記載の電力需要家向けポイントシステムにおいて、前記寄付の用途を前記通信端末からの入力によって指定自在で、前記算出手段は、前記用途ごとに寄付ポイントを合算する、ことを特徴とする。
【発明の効果】
【００１６】
請求項１の発明によれば、サポート需要家に対しては、電力使用量に基づくポイントだけではなく、サポート対象の成績に応じたポイントが付与されるため、より多くのポイントを貯めることができる。しかも、貯めたポイントがサポート対象に寄付されるため、所定のスポーツチームやスポーツ選手を支援したい需要家の要求を満たすことができる。このように、電力事業者のサポートメニューに加入することで、電力事業者からより多くのポイントがもらえ、しかも、そのポイントでスポーツチームやスポーツ選手を支援することができるため、電力事業者に対する需要家の関心を高めることが可能となり、この結果、需要家と電力事業者との永く安定した需給関係を築くことが期待できる。また、全サポート需要家のポイントが、所定のスポーツチームまたはスポーツ選手に寄付するための寄付ポイントとして合算されるため、より漏れなく確実に寄付することができる。
【００１７】
請求項２の発明によれば、サポート需要家の所定期間における全ポイントが寄付ポイントとして合算される。すなわち、所定期間に貯めたすべてのポイントが漏れなくサポート対象への寄付対象となるため、スポーツチームやスポーツ選手を支援したい需要家の要求をより満たすことができ、この結果、電力事業者に対する需要家の関心をより高めることが可能となる。
【００１８】
請求項３の発明によれば、サポート需要家がサポートメニューに加入する前に貯めたポイントを含めて寄付ポイントとして合算されるため、より多くのポイントが無駄なくサポート対象への寄付対象となる。このため、スポーツチームやスポーツ選手を支援したい需要家の要求をより満たすことができ、この結果、電力事業者に対する需要家の関心をより高めることが可能となる。
【００１９】
請求項４の発明によれば、抽選されたサポート需要家にサポート対象に関連するプレゼントが贈られるため、サポート需要家の満足度を高めることができ、この結果、電力事業者に対する需要家の関心をより高めることが可能となる。
【００２０】
請求項５の発明によれば、電力事業者以外の事業者からの外部ポイントが需要家のポイントに加算されるため、サポート需要家の場合には、外部ポイントを含めたポイントがサポート対象に寄付される。このように、より多くのポイントがサポート対象に寄付されるため、スポーツチームやスポーツ選手を支援したい需要家の要求をより満たすことができ、しかも、電力事業者を介して外部ポイントも寄付されるため、電力事業者に対する需要家の関心をより高めることが可能となる。
【００２１】
請求項６の発明によれば、寄付の用途を通信端末からの入力によって指定自在となっている。つまり、需要家が寄付の用途（支援の内容）を指定できるため、需要家の要求をより満たすことができる。
【図面の簡単な説明】
【００２２】
【図１】この発明の実施の形態に係る電力需要家向けポイントシステムを示す概略構成図である。
【図２】図１の電力需要家向けポイントシステムのウェブサーバを示す概略構成ブロック図である。
【図３】図１の電力需要家向けポイントシステムのウェブサイトのログイン画面を示す図である。
【図４】図３のウェブサイトのマイページの画面を示す図である。
【図５】図３のウェブサイトのポイントサービスページの画面を示す図である。
【図６】図３のウェブサイトのコラボレーション紹介ページの画面を示す図である。
【図７】図１の電力需要家向けポイントシステムの作用、動作を示すタイミングチャートである。
【発明を実施するための形態】
【００２３】
以下、この発明を図示の実施の形態に基づいて説明する。
【００２４】
図１は、この発明の実施の形態に係る電力需要家向けポイントシステム１を示す概略構成図である。この電力需要家向けポイントシステム１は、電力事業者（電力供給側）が電力の需要家Ｍに対してポイントを付与するシステムであり、各需要家Ｍが通信端末３を介してアクセス可能な電力事業者のウェブサーバ５と、各需要家Ｍの電力使用量を記憶する電力使用量サーバ２とが通信自在に接続されている。さらに、ウェブサーバ５は、該電力事業者以外の事業者（他事業者）の他事業者コンピュータ４と通信自在に接続されている。
【００２５】
ここで、この実施の形態では、サポート対象がプロサッカーチームであるＡＢＣチームの場合について、主として説明する。また、他事業者は、顧客・需要家に付与したポイント（外部ポイント）を該電力事業者に移行することに合意している事業者であり、この実施の形態では、ＬＰガスの使用量に応じて顧客にポイントを付与するＬＰガス事業者の場合について、主として説明する。
【００２６】
電力使用量サーバ２は、各需要家Ｍの毎月（所定期間）の電力使用量や電力料金などを記憶するサーバであり、この実施の形態では、検針データを収集するコンピュータ・サーバから定期的に検針データを受信することで、毎月の電力使用量や電力料金を算出、管理する。これに対して、電力使用量や電力料金を算出したりする他のコンピュータ・サーバから毎月の電力使用量等を受信して記憶してもよく、結果的に毎月の電力使用量や電力料金を記憶していればよい。また、需要家Ｍが電力事業者と複数の契約をしている場合には、契約ごとに毎月の電力使用量や電力料金を記憶する。
【００２７】
通信端末３は、需要家Ｍが操作する端末で、パーソナルコンピュータやスマートフォン（多機能携帯端末）などを含み、インターネットなどの通信網を介してウェブサーバ５などと通信自在となっている。
【００２８】
他事業者コンピュータ４は、ＬＰガス事業者の従業員等が操作するコンピュータであり、後述するように、ＬＰガス事業者が各顧客に付与したポイントを、外部ポイントとして電力事業者に移行する処理を定期的に行うためなどに使用される。ここで、この実施の形態では、半年（１〜６月、７〜１２月）あたりのＬＰガスの使用量に応じて、ＬＰガス事業者から顧客にポイントを付与し、このポイントを年に２回（２月、８月）ＬＰガス事業者から電力事業者に移行する（この顧客・需要家Ｍのポイントに加算する。）。
【００２９】
ウェブサーバ５は、電力事業者のウェブサイトを提供するサーバであり、図２に示すように、主として、メモリ５１と、需要家データベース５２と、メインタスク５３と、これらを制御などする中央処理部５４と、を備える。
【００３０】
メモリ５１は、各種情報・データを記憶する記憶部であり、例えば、後述するようにしてサポートメニューの加入時に需要家Ｍによって入力された情報や、他事業者コンピュータ４から受信した情報などを記憶する。
【００３１】
需要家データベース５２は、各需要家Ｍに関する情報を記憶したデータベースであり、各需要家Ｍの識別情報に対して、契約番号、契約名義、契約住所、契約種別、需要家Ｍのメールアドレスなどが記憶されている。また、ポイントサービスの会員であるか否か、会員である場合のＩＤとパスワード、各ポイントが付与された日時とポイント数や、現在有効なポイント数、さらには、加入しているコラボレーションメニューなども需要家データベース５２に記憶するが、他のコンピュータ・サーバに記憶してもよい。このように、この実施の形態では、ウェブサーバ５に需要家データベース５２を備えているが、需要家データベース５２のデータのすべてまたは一部を他のコンピュータ・サーバに記憶し、必要に応じてウェブサーバ５が他のコンピュータ・サーバから取得するようにしてもよい。
【００３２】
メインタスク５３は、ウェブサイトを提供、運営するためのタスク・プログラム群であり、この実施の形態では、電力事業者のウェブサイトのうち、各需要家Ｍにポイントを付与するポイントサービス・サイトを提供するためのタスクについて、主として説明する。このメインタスク５３は、主として、加入タスク５３１と、使用量ポイントタスク（使用量ポイント手段）５３２と、成績ポイントタスク（成績ポイント手段）５３３と、外部ポイント加算タスク（外部ポイント加算手段）５３４と、算出タスク（算出手段）５３５と、抽選タスク（抽選手段）５３６と、を備える。
【００３３】
メインタスク５３は、まず、図３に示すようなログイン画面・ページを通信端末３に表示させ、予め登録されたＩＤとパスワードが入力されると、図４に示すような、各需要家Ｍのマイページを通信端末３に表示させる。このマイページには、需要家Ｍの氏名やＩＤ、契約住所などとともに、直近の月度の電力使用量、請求額、現在有効なポイント数などが表示される。ここで、ＩＤとパスワードは、電力事業者によるポイントサービスを受けることを、予め登録している会員に与えられるものである。
【００３４】
次に、このマイページから、ポイントサイトへ移動するためのボタンが操作されると、図５に示すポイントサービスページを通信端末３に表示させる。このポイントサービスページには、需要家Ｍの現在有効なポイント数や、ポイント履歴を確認するためのボタン、サポートメニューへの加入状況などの他、ポイントを貯めるコンテンツを紹介するためのバナーなどが表示される。
【００３５】
ここで、サポートメニューとは、本ポイントサービスにおいて、提携企業と連係してポイントサービスを行うコラボレーションメニューの１つで、ＡＢＣチームにポイント・寄付金を寄付するメニューであり、ポイントサービスページでコラボレーションメニューのボタンが選択されると、図６に示すコラボレーション紹介ページを通信端末３に表示させる。そして、このコラボレーション紹介ページでいずれかのコラボレーションメニューが選択されると、そのメニューのサービス内容や加入ボタンなどを通信端末３に表示させる。ここで、いずれかのコラボレーションメニューに加入すると、加入日から所定期間（例えば、１年間）は、本メニューを辞めたり、他のコラボレーションメニューに加入・変更したりできないものとする。
【００３６】
加入タスク５３１は、図６のコラボレーション紹介ページでＡＢＣサポートメニューが選択され、さらに、加入ボタンが選択されると起動され、サポートメニューへの加入処理を行うタスク・プログラムである。まず、この需要家ＭがＡＢＣサポートメニューに加入できるか否かを判定する。具体的には、第１に、この需要家Ｍがポイントサービスを受けることを予め登録している会員であり、第２に、他のコラボレーションメニューに加入していない場合に、加入可と判定する。ここで、第１の要件を満たしていない場合には、ログイン画面において登録が可能である。
【００３７】
次に、加入可と判定した場合において、寄付金の使途（ポイントの用途）が通信端末３から選択・指定されると、選択された用途を記憶する。すなわち、需要家データベース５２の該当需要家Ｍに対して、サポートメニューに加入している旨と用途を記憶する。ここで、この実施の形態では、寄付金の使途として、チーム強化支援金またはスタジアム建設費のいずれかを選択可能となっている。このように、寄付するポイントの用途を、通信端末３からの入力によって需要家Ｍが指定自在となっている。また、サポートメニューに加入しても、加入時点における現在有効なポイント数を継続して使用することができ、その後に取得したポイントが現在有効なポイント数に加算される。
【００３８】
使用量ポイントタスク５３２は、実際の電力使用量に基づいて需要家Ｍにポイントを付与するタスク・プログラムであり、この実施の形態では、電力使用量に対応する（電力使用量に基づく）電力料金に従ってポイントを付与する。すなわち、当月の電力使用量および電力料金が確定すると、確定した各契約番号の電力料金を電力使用量サーバ２から取得し、この電力料金に基づいてポイントを算出して各需要家Ｍに付与する。このとき、この実施の形態では、単位電力料金（例えば、２００円）ごとに所定のポイントを付与する。そして、付与したポイントを、需要家データベース５２の該需要家Ｍに関連付けて記憶するとともに、現在有効なポイント数に加算、記憶する。
【００３９】
ここで、電力料金の取得方法は、どのような方法であってもよい。例えば、電力使用量と電力料金が確定した後に、確定した電力使用量等を通知する検針通知を電力使用量サーバ２からウェブサーバ５に送信してもよいし、電力使用量等が確定した後に、ウェブサーバ５から電力使用量サーバ２にアクセスして確定した電力使用量等を取得するようにしてもよく、さらには、他のデータベースやコンピュータ・サーバを介して電力使用量等を取得してもよい。ところで、電力使用量に対応する電力料金に基づいてポイントを算出、付与しているが、電力使用量に基づいて直接ポイントを算出して付与するようにしてもよい。
【００４０】
成績ポイントタスク５３３は、サポートメニューに加入している需要家Ｍであるサポート需要家Ｍに、外部から入力されたＡＢＣチームの成績情報に応じたポイントを付与するタスク・プログラムである。すなわち、ＡＢＣチームの試合結果が確定して、管理者による入力や外部機器からの受信などによって成績情報が入力されると起動され、需要家データベース５２に記憶されたサポートメニューに加入している全サポート需要家Ｍに対して、成績情報に応じたポイントを付与して現在有効なポイント数に加算、記憶する。
【００４１】
ここで、この実施の形態では、次のような成績に応じたポイントを付与する。従って、成績情報には、各試合の勝敗のみならず、順位、優勝の有無なども含まれる。
【００４２】
「勝利ポイント」
リーグ戦ファーストステージ、セカンドステージの試合結果に応じたポイント
勝利：３ポイント
引き分け：１ポイント
【００４３】
「成績ポイント」
リーグ戦ファーストステージおよびセカンドステージ、年間総合成績の順位に応じたポイント
１位：１０ポイント
２位：５ポイント
３位：２ポイント
【００４４】
「優勝ポイント」
チャンピオンシップ、リーグカップ戦、天皇杯で優勝した際に、抽選で１００名に１００ポイント
【００４５】
外部ポイント加算タスク５３４は、該電力事業者以外の事業者から需要家Ｍに付与されたポイントである外部ポイントを受け入れて、この需要家Ｍのポイントに加算するタスク・プログラムである。すなわち、ＬＰガス事業者が顧客に付与したポイントを外部ポイントとして受け入れ、この外部ポイントを該当する需要家Ｍのポイントに加算する。具体的には、他事業者コンピュータ４から定期的に（年に２回）、各顧客の識別情報と移行すべき外部ポイントを含む移行リストがウェブサーバ５に送信されて、外部ポイント加算タスク５３４が起動される。
【００４６】
そして、外部ポイント加算タスク５３４は、まず、移行リスト中の各顧客に対して移行が可能か否かを判定する。この際、該顧客・需要家Ｍが現在ポイントサービスの会員であるか否かによって判定し、現在ポイントサービスの会員であれば、移行可と判定する。
次に、移行が可能な顧客に対しては、需要家データベース５２に記憶されているこの顧客・需要家Ｍの現在有効なポイント数に、移行リスト中の外部ポイントを加算して記憶する。このように、コラボレーションメニューに加入しているか否かに関わらず、移行リストの顧客のなかのポイントサービス会員すべてに、それぞれの外部ポイントを移行する。一方、移行ができない顧客がある場合には、その旨と該当顧客を他事業者コンピュータ４に送信する。
【００４７】
算出タスク５３５は、すべてのサポート需要家Ｍのポイントを寄付ポイントとして合算するタスク・プログラムである。すなわち、毎月所定時に、すべてのサポート需要家Ｍの全ポイント（現在有効なポイント数）を引き去り、そのポイント数を寄付ポイントとして合算、貯蓄する。従って、各サポート需要家Ｍの現在有効なポイント数がゼロとなる。そして、毎月（所定期間）の寄付ポイントが累積・加算されていく。
【００４８】
ここで、寄付金の使途ごとに寄付ポイントを貯蓄する。すなわち、チーム強化支援金を選択したサポート需要家Ｍのポイントは、チーム強化支援金サポート用の寄付ポイントとして貯蓄し、スタジアム建設費を選択したサポート需要家Ｍのポイントは、スタジアム建設費用の寄付ポイントとして貯蓄する。また、サポート需要家Ｍがサポートメニューに加入する前に貯めたポイントも現在有効なポイント数に含まれるため、サポートメニューに加入する前に貯めたポイントを含めて寄付ポイントとして合算する。さらに、現在有効なポイント数にはＬＰガス事業者からの外部ポイントも含まれるため、外部ポイントも寄付ポイントとして合算される。
【００４９】
抽選タスク５３６は、ＡＢＣチームに関連するプレゼントが贈られる需要家Ｍを、複数のサポート需要家Ｍのなかから抽選するタスク・プログラムである。すなわち、所定時に（例えば、定期的に、またはイベント時に）全サポート需要家Ｍのなかから抽選（ランダムな抽出）を行い、その結果を出力する。ここで、プレゼントには、ＡＢＣチームの選手のサイン入りグッズや試合チケットなどが含まれる。
【００５０】
次に、このような構成の電力需要家向けポイントシステム１の作用および、電力需要家向けポイントシステム１による電力需要家向けポイント方法などについて説明する。
【００５１】
まず、図７に示すように、需要家Ｍが通信端末３でウェブサーバ５にアクセスし（ステップＳ１）、図３のログイン画面でＩＤとパスワードを入力し、図６のコラボレーション紹介ページでＡＢＣサポートメニューを選択して、加入ボタンを選択すると、加入タスク５３１が起動され（ステップＳ２）、この需要家Ｍのサポートメニューへの加入処理が行われる。その後、当月の電力使用量および電力料金が確定すると、例えば、電力使用量サーバ２からウェブサーバ５に検針通知が送信されて（ステップＳ３）、使用量ポイントタスク５３２が起動され（ステップＳ４）、当月の実電力使用量（電力料金）に基づいて各需要家Ｍにポイントが付与される。
【００５２】
また、ＡＢＣチームの試合結果が確定して、その成績情報がウェブサーバ５に入力されと（ステップＳ５）、成績ポイントタスク５３３が起動されて（ステップＳ６）、全サポート需要家Ｍに対して成績情報に応じたポイントが付与される。
【００５３】
一方、所定時期に（年に２回）他事業者コンピュータ４からウェブサーバ５に移行リストが送信されると（ステップＳ７）、外部ポイント加算タスク５３４が起動され（ステップＳ８）、ＬＰガス事業者からの外部ポイントが該当する需要家Ｍのポイントに加算される。
【００５４】
また、毎月所定時に算出タスク５３５が起動され（ステップＳ９）、各サポート需要家Ｍのポイントが引き去られて寄付ポイントとして貯蓄される。そして、毎年所定時に、貯蓄された寄付ポイントに相当する寄付金が電力事業者からＡＢＣチームに寄付される。例えば、１ポイントを１円として寄付される。このように、前年の寄付時から今年の寄付時に貯まった全サポート需要家Ｍの全ポイントが寄付される。
【００５５】
さらには、所定時に抽選タスク５３６が起動され（ステップＳ１０）、全サポート需要家Ｍのなかから抽選が行われる。そして、当選したサポート需要家Ｍに対して、電力事業者からプレゼントが贈られる。
【００５６】
このように、この電力需要家向けポイントシステム１および電力需要家向けポイント方法によれば、サポート需要家Ｍに対しては、電力使用量に基づくポイントだけではなく、ＡＢＣチームの成績に応じたポイントが付与されるため、より多くのポイントを貯めることができる。しかも、貯めたポイントが寄付金としてＡＢＣチームに寄付されるため、ＡＢＣチームを支援したい需要家Ｍの要求を満たすことができる。このように、電力事業者のサポートメニューに加入することで、電力事業者からより多くのポイントがもらえ、しかも、そのポイントでＡＢＣチームを支援することができるため、電力事業者に対する需要家Ｍの関心を高めることが可能となり、この結果、需要家Ｍと電力事業者との永く安定した需給関係を築くことが期待できる。また、全サポート需要家Ｍのポイントが、所定のスポーツチームまたはスポーツ選手に寄付するための寄付ポイントとして合算されるため、より漏れなく確実に寄付することができる。
【００５７】
また、サポート需要家Ｍの所定期間における全ポイントが寄付ポイントとして合算される。すなわち、所定期間に貯めたすべてのポイントが漏れなくＡＢＣチームへの寄付対象となるため、ＡＢＣチームを支援したい需要家Ｍの要求をより満たすことができ、この結果、電力事業者に対する需要家Ｍの関心をより高めることが可能となる。
【００５８】
また、サポート需要家Ｍがサポートメニューに加入する前に貯めたポイントを含めて寄付ポイントとして合算されるため、より多くのポイントが無駄なくＡＢＣチームへの寄付対象となる。このため、ＡＢＣチームを支援したい需要家Ｍの要求をより満たすことができ、この結果、電力事業者に対する需要家Ｍの関心をより高めることが可能となる。
【００５９】
さらに、ＬＰガス事業者からの外部ポイントが需要家Ｍのポイントに加算されるため、サポート需要家Ｍの場合には、外部ポイントを含めたポイントがＡＢＣチームに寄付される。このように、より多くのポイントがＡＢＣチームに寄付されるため、ＡＢＣチームを支援したい需要家Ｍの要求をより満たすことができ、しかも、電力事業者を介して外部ポイントも寄付されるため、電力事業者に対する需要家Ｍの関心をより高めることが可能となる。
【００６０】
また、寄付の使い道を通信端末３からの入力によって指定自在となっている。つまり、需要家Ｍが寄付金の用途（支援の内容）を指定できるため、需要家Ｍの要求をより満たすことができる。
【００６１】
一方、抽選で当選したサポート需要家ＭにＡＢＣチームに関連するプレゼントが贈られるため、サポート需要家Ｍの満足度を高めることができ、この結果、電力事業者に対する需要家Ｍの関心をより高めることが可能となる。
【００６２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電力使用量サーバ２とウェブサーバ５が別体に設けられているが、一体的に設けられていてもよく、また、各サーバ２、５が複数のサーバで構成されていてもよい。また、サポート対象が所定のスポーツチームの場合について説明したが、サポート対象が所定のスポーツ選手であってもよい。さらに、サポート対象がＡＢＣチームのみの場合について説明したが、複数のサポート対象のなかから寄付・支援するサポート対象を需要家Ｍが選択できるようにしてもよい。一方、メインタスク５３における一部の機能を、電力事業者の管理者等が手動で行うようにしてもよい。例えば、管理者等が外部ポイントを入力して需要家Ｍのポイントに加算してもよい。
【符号の説明】
【００６３】
１        電力需要家向けポイントシステム
２        電力使用量サーバ
３        通信端末
４        他事業者コンピュータ
５        ウェブサーバ
５３１    加入タスク
５３２    使用量ポイントタスク（使用量ポイント手段）
５３３    成績ポイントタスク（成績ポイント手段）
５３４    外部ポイント加算タスク（外部ポイント加算手段）
５３５    算出タスク（算出手段）
５３６    抽選タスク（抽選手段）
Ｍ        需要家
【図１】
2018106451.tif 000003
【図２】
2018106451.tif 000004
【図３】
2018106451.tif 000005
【図４】
2018106451.tif 000006
【図５】
2018106451.tif 000007
【図６】
2018106451.tif 000008
【図７】
2018106451.tif 000009
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
電力の需要家が通信端末を介してアクセス可能な電力事業者のウェブサーバと、各需要家の電力使用量を記憶する電力使用量サーバとが通信自在に接続され、
前記ウェブサーバに、
電力使用量に基づいて前記需要家にポイントを付与する使用量ポイント手段と、
所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、
すべての前記サポート需要家の前記使用量ポイント手段から付与されたポイントと、前記成績ポイント手段から付与されたポイントを寄付ポイントとして合算する算出手段と、
を備えることを特徴とする電力需要家向けポイントシステム。
【請求項２】
前記算出手段は、前記サポート需要家の所定期間における全ポイントを寄付ポイントとして合算する、
ことを特徴とする請求項１に記載の電力需要家向けポイントシステム。
【請求項３】
前記算出手段は、前記サポート需要家が前記サポートメニューに加入する前に貯めたポイントを含めて寄付ポイントとして合算する、
ことを特徴とする請求項１または２のいずれか１項に記載の電力需要家向けポイントシステム。
【請求項４】
前記ウェブサーバに、前記サポート対象に関連するプレゼントが贈られる需要家を、複数の前記サポート需要家のなかから抽選する抽選手段を備える、
ことを特徴とする請求項１から３のいずれか１項に記載の電力需要家向けポイントシステム。
【請求項５】
前記ウェブサーバは、前記電力事業者以外の事業者から前記需要家に付与されたポイントである外部ポイントを受け入れて、該需要家のポイントに加算する外部ポイント加算手段を備える、
ことを特徴とする請求項１から４のいずれか１項に記載の電力需要家向けポイントシステム。
【請求項６】
前記寄付の用途を前記通信端末からの入力によって指定自在で、
前記算出手段は、前記用途ごとに寄付ポイントを合算する、
ことを特徴とする請求項１から５のいずれか１項に記載の電力需要家向けポイントシステム。
【手続補正２】
【補正対象書類名】明細書
【補正対象項目名】０００９
【補正方法】変更
【補正の内容】
【０００９】
上記課題を解決するために、請求項１の発明は、電力の需要家が通信端末を介してアクセス可能な電力事業者のウェブサーバと、各需要家の電力使用量を記憶する電力使用量サーバとが通信自在に接続され、前記ウェブサーバに、電力使用量に基づいて前記需要家にポイントを付与する使用量ポイント手段と、所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、すべての前記サポート需要家の前記使用量ポイント手段から付与されたポイントと、前記成績ポイント手段から付与されたポイントを寄付ポイントとして合算する算出手段と、を備えることを特徴とする電力需要家向けポイントシステムである。
【手続補正３】
【補正対象書類名】明細書
【補正対象項目名】００１０
【補正方法】変更
【補正の内容】
【００１０】
この発明によれば、サポートメニューに加入しているサポート需要家に対しては、電力使用量に基づくポイントが付与されるとともに、所定のスポーツチームまたはスポーツ選手の成績に応じたポイントが付与される。そして、全サポート需要家の使用量ポイント手段から付与されたポイントと、成績ポイント手段から付与されたポイントが、所定のスポーツチームまたはスポーツ選手に寄付するための寄付ポイントとして合算される。
【手続補正４】
【補正対象書類名】明細書
【補正対象項目名】００１６
【補正方法】変更
【補正の内容】
【００１６】
請求項１の発明によれば、サポート需要家に対しては、電力使用量に基づくポイントだけではなく、サポート対象の成績に応じたポイントが付与されるため、より多くのポイントを貯めることができる。しかも、貯めたポイントがサポート対象に寄付されるため、所定のスポーツチームやスポーツ選手を支援したい需要家の要求を満たすことができる。このように、電力事業者のサポートメニューに加入することで、電力事業者からより多くのポイントがもらえ、しかも、そのポイントでスポーツチームやスポーツ選手を支援することができるため、電力事業者に対する需要家の関心を高めることが可能となり、この結果、需要家と電力事業者との永く安定した需給関係を築くことが期待できる。また、全サポート需要家の使用量ポイント手段から付与されたポイントと、成績ポイント手段から付与されたポイントが、所定のスポーツチームまたはスポーツ選手に寄付するための寄付ポイントとして合算されるため、より漏れなく確実に寄付することができる。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
電力の需要家が通信端末を介してアクセス可能な電力事業者のウェブサーバと、各需要家の電力使用量を記憶する電力使用量サーバとが通信自在に接続され、
前記ウェブサーバに、
電力使用量に基づいて前記需要家にポイントを付与する使用量ポイント手段と、
前記電力事業者と同じ地域を基盤とする所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、
すべての前記サポート需要家の前記使用量ポイント手段から付与されたポイントと、前記成績ポイント手段から付与されたポイントを寄付ポイントとして合算する算出手段と、
を備えることを特徴とする電力需要家向けポイントシステム。
【請求項２】
前記算出手段は、前記サポート需要家の所定期間における全ポイントを寄付ポイントとして合算する、
ことを特徴とする請求項１に記載の電力需要家向けポイントシステム。
【請求項３】
前記算出手段は、前記サポート需要家が前記サポートメニューに加入する前に貯めたポイントを含めて寄付ポイントとして合算する、
ことを特徴とする請求項１または２のいずれか１項に記載の電力需要家向けポイントシステム。
【請求項４】
前記ウェブサーバに、前記サポート対象に関連するプレゼントが贈られる需要家を、複数の前記サポート需要家のなかから抽選する抽選手段を備える、
ことを特徴とする請求項１から３のいずれか１項に記載の電力需要家向けポイントシステム。
【請求項５】
前記ウェブサーバは、前記電力事業者以外の事業者から前記需要家に付与されたポイントである外部ポイントを受け入れて、該需要家のポイントに加算する外部ポイント加算手段を備える、
ことを特徴とする請求項１から４のいずれか１項に記載の電力需要家向けポイントシステム。
【請求項６】
前記寄付の用途を前記通信端末からの入力によって指定自在で、
前記算出手段は、前記用途ごとに寄付ポイントを合算する、
ことを特徴とする請求項１から５のいずれか１項に記載の電力需要家向けポイントシステム。
【手続補正２】
【補正対象書類名】明細書
【補正対象項目名】０００９
【補正方法】変更
【補正の内容】
【０００９】
上記課題を解決するために、請求項１の発明は、電力の需要家が通信端末を介してアクセス可能な電力事業者のウェブサーバと、各需要家の電力使用量を記憶する電力使用量サーバとが通信自在に接続され、前記ウェブサーバに、電力使用量に基づいて前記需要家にポイントを付与する使用量ポイント手段と、前記電力事業者と同じ地域を基盤とする所定のスポーツチームまたはスポーツ選手であるサポート対象にポイントを寄付するサポートメニューに加入している需要家であるサポート需要家に、外部から入力された前記サポート対象の成績情報に応じたポイントを付与する成績ポイント手段と、すべての前記サポート需要家の前記使用量ポイント手段から付与されたポイントと、前記成績ポイント手段から付与されたポイントを寄付ポイントとして合算する算出手段と、を備えることを特徴とする電力需要家向けポイントシステムである。
【手続補正３】
【補正対象書類名】明細書
【補正対象項目名】００１０
【補正方法】変更
【補正の内容】
【００１０】
この発明によれば、サポートメニューに加入しているサポート需要家に対しては、電力使用量に基づくポイントが付与されるとともに、電力事業者と同じ地域を基盤とする所定のスポーツチームまたはスポーツ選手の成績に応じたポイントが付与される。そして、全サポート需要家の使用量ポイント手段から付与されたポイントと、成績ポイント手段から付与されたポイントが、電力事業者と同じ地域を基盤とする所定のスポーツチームまたはスポーツ選手に寄付するための寄付ポイントとして合算される。
【手続補正４】
【補正対象書類名】明細書
【補正対象項目名】００１６
【補正方法】変更
【補正の内容】
【００１６】
請求項１の発明によれば、サポート需要家に対しては、電力使用量に基づくポイントだけではなく、サポート対象の成績に応じたポイントが付与されるため、より多くのポイントを貯めることができる。しかも、貯めたポイントがサポート対象に寄付されるため、電力事業者と同じ地域を基盤とする所定のスポーツチームやスポーツ選手を支援したい需要家の要求を満たすことができる。このように、電力事業者のサポートメニューに加入することで、電力事業者からより多くのポイントがもらえ、しかも、そのポイントで電力事業者と同じ地域を基盤とするスポーツチームやスポーツ選手を支援することができるため、電力事業者に対する需要家の関心を高めることが可能となり、この結果、需要家と電力事業者との永く安定した需給関係を築くことが期待できる。また、全サポート需要家の使用量ポイント手段から付与されたポイントと、成績ポイント手段から付与されたポイントが、電力事業者と同じ地域を基盤とする所定のスポーツチームまたはスポーツ選手に寄付するための寄付ポイントとして合算されるため、より漏れなく確実に寄付することができる。